(57)【要約】【課題】ジャム処理に際し、残留した用紙の破損をより確実に防止することが可能な用紙搬送装置及びその用紙搬送装置を備えた画像形成装置を提供する。【解決手段】印刷用紙を収容すると共に装置本体１Ａに対して引き出し自在な給紙カセット１１と、給紙カセット１１から搬出される印刷用紙を搬送すると共に、一方のローラ２３Ａが装置本体１Ａに設けられ、他方のローラ２３Ｂが装置本体１Ａに対して開閉自在な垂直搬送カバー部１Ｂに設けられるレジストローラ対２３とを備える用紙搬送装置１０であって、垂直搬送カバー部１Ｂが閉状態にあるときに給紙カセット１１の引き出しに連動して、レジストローラ対２３を、印刷用紙を搬送可能な接触状態の接触位置と、上記接触状態を解除させる解除位置との間を移動させる解除装置３０を有するという構成を採用する。【選択図】図４
2009298550.tif 000002
【特許請求の範囲】
【請求項１】
用紙を収容すると共に装置本体に対して引き出し自在な給紙カセットと、前記給紙カセットから搬出される前記用紙を搬送すると共に、一方が前記装置本体に設けられ、他方が前記装置本体に対して開閉自在な開閉部に設けられるローラ対とを備える用紙搬送装置であって、
前記開閉部が閉状態にあるときに前記給紙カセットの引き出しに連動して、前記ローラ対を、前記用紙を搬送可能な接触状態の接触位置と、前記接触状態を解除させる解除位置との間を移動させる解除装置を有することを特徴とする用紙搬送装置。
【請求項２】
前記ローラ対は、前記用紙の搬送経路に沿って複数設けられ、
前記解除装置は、前記搬送経路上であって、前記給紙カセットと前記開閉部とに跨って前記用紙が残留する残留位置にある前記ローラ対に設けられていることを特徴とする請求項１に記載の用紙搬送装置。
【請求項３】
前記解除装置は、前記ローラ対のうち一方を他方に対して長さ方向の一端側において離間させることで前記接触状態を解除させることを特徴とする請求項１または２に記載の用紙搬送装置。
【請求項４】
前記ローラ対には、前記一方を前記他方に向けて付勢する付勢装置が設けられており、
前記解除装置は、一端側が、前記ローラ対の前記一方の一端側に連結すると共に、他端側が、前記給紙カセットに設けられて前記引き出し方向と逆方向に向かうに従って前記給紙カセットから前記付勢方向と逆方向に漸次突出する傾斜形状を有するガイド部に当接する梃子部材を有することを特徴とする請求項３に記載の用紙搬送装置。
【請求項５】
請求項１〜４のいずれか一項に記載の用紙搬送装置が設けられていることを特徴とする画像形成装置。
【発明の詳細な説明】
【技術分野】
【０００１】
本発明は、用紙搬送装置及びその用紙搬送装置を備えた複写機、プリンタ、またはファクシミリ装置等の画像形成装置に関するものである。
【背景技術】
【０００２】
特許文献１及び特許文献２には、給紙された用紙がジャムを起こした場合に、用紙搬送経路上に残留した用紙の破損を抑制しつつ迅速にジャム処理を施すことが可能な画像形成装置及びジャム紙除去機構が開示されている。これらは、装置本体に対して開閉自在な開閉ガイドもしくは外装カバー等の開閉部の開放に連動して、用紙を搬送可能な接触状態にあるローラ対の離間あるいは搬送ガイドの開放をさせることでジャム処理を施す構成となっている。
【特許文献１】特開平１１−１４３１５６号公報
【特許文献２】実開平５−２５４５５号公報
【発明の開示】
【発明が解決しようとする課題】
【０００３】
ところで、ジャム処理は、残留した用紙の破損を防止しつつ除去する所定の手順が決められており、例えば、画像形成装置において、給紙カセットから搬出された用紙が搬送経路の下流で、給紙カセットと開閉部とに跨ってジャムを起こした場合は、先に開閉部を開放して、次に給紙カセットを開放するようラベルや表示パネル等に表示されている。このような表示に従うことで、残留した用紙が開閉部においてローラ対に挟持された状態で給紙カセットを引き出すことによる用紙の破損を防止し、当該破損した一部が装置内に残留してしまう不具合を抑止することが可能となる。
【０００４】
しかしながら、上記の様にジャム処理の手順を表示していても、ユーザーの人的要因により、どうしても開閉部の開放より先に給紙カセットを引き出して、残留した用紙が破損してしまうことが多々あり、確実性に欠けるという問題がある。
【０００５】
本発明は、上述する問題点に鑑みてなされたもので、ジャム処理に際し、残留した用紙の破損をより確実に防止することが可能な用紙搬送装置及びその用紙搬送装置を備えた画像形成装置を提供することを目的とする。
【課題を解決するための手段】
【０００６】
上記の課題を解決するために、本発明は、用紙を収容すると共に装置本体に対して引き出し自在な給紙カセットと、上記給紙カセットから搬出される上記用紙を搬送すると共に、一方が上記装置本体に設けられ、他方が上記装置本体に対して開閉自在な開閉部に設けられるローラ対とを備える用紙搬送装置であって、上記開閉部が閉状態にあるときに上記給紙カセットの引き出しに連動して、上記ローラ対を、上記用紙を搬送可能な接触状態の接触位置と、上記接触状態を解除させる解除位置との間を移動させる解除装置を有するという構成を採用する。
このような構成を採用することによって、本発明では、給紙カセットの引き出し動作に連動して、開閉部におけるローラ対の接触状態を解除することが可能となる。
【０００７】
また、本発明においては、上記ローラ対は、上記用紙の搬送経路に沿って複数設けられ、上記解除装置は、上記搬送経路上であって、上記給紙カセットと上記開閉部とに跨って上記用紙が残留する残留位置にある上記ローラ対に設けられているという構成を採用する。
このような構成を採用することによって、本発明では、給紙カセットと開閉部とに跨って残留した用紙に対する給紙カセットの引き出しによる破損を防止することが可能となる。
【０００８】
また、本発明においては、上記解除装置は、上記ローラ対のうち一方を他方に対して長さ方向の一端側において離間させることで上記接触状態を解除させるという構成を採用する。
このような構成を採用することによって、本発明では、ローラ対の一端側を離間させることで、ローラ対が用紙を挟み込むことを不可とさせることができる。
【０００９】
また、本発明においては、上記ローラ対には、上記一方を上記他方に向けて付勢する付勢装置が設けられており、上記解除装置は、一端側が、上記ローラ対の上記一方の一端側に連結すると共に、他端側が、上記給紙カセットに設けられて上記引き出し方向と逆方向に向かうに従って上記給紙カセットから上記付勢方向と逆方向に漸次突出する傾斜形状を有するガイド部に当接する梃子部材を有するという構成を採用する。
このような構成を採用することによって、本発明では、給紙カセットの引き出しに連動して梃子部材の他端側を付勢方向と逆方向に移動させ、その移動により梃子部材の一端側が連結したローラ対の一方を付勢力に抗して付勢方向と逆方向に移動させることが可能となる。
【００１０】
また、本発明においては、上記構成の用紙搬送装置が設けられている画像形成装置を採用する。
このような構成を採用することによって、本発明では、上記用紙搬送装置が設けられた画像形成装置が得られる。
【発明の効果】
【００１１】
本発明によれば、用紙を収容すると共に装置本体に対して引き出し自在な給紙カセットと、上記給紙カセットから搬出される上記用紙を搬送すると共に、一方が上記装置本体に設けられ、他方が上記装置本体に対して開閉自在な開閉部に設けられるローラ対とを備える用紙搬送装置であって、上記開閉部が閉状態にあるときに上記給紙カセットの引き出しに連動して、上記ローラ対を、上記用紙を搬送可能な接触状態の接触位置と、上記接触状態を解除させる解除位置との間を移動させる解除装置を有するという構成を採用することによって、給紙カセットの引き出し動作に連動して、開閉部におけるローラ対の接触状態を解除することが可能となり、ユーザーが開閉部を開放する前に給紙カセットを引き出した場合であっても、残留した用紙の破損が防止される。
したがって、本発明では、ジャム処理に際し、残留した用紙の破損をより確実に防止することが可能な用紙搬送装置を提供することができる効果がある。
【発明を実施するための最良の形態】
【００１２】
次に、本発明の実施形態を図面に基づいて説明する。なお、以下に説明においては、本発明の用紙搬送装置を複写機（画像形成装置）に適応した場合の例について説明する。また、以下の図面において、各部材を認識可能な大きさとするために、各部材の縮尺を適宜変更している。
【００１３】
先ず、図１を参照して、本実施形態における複写機１の構成について説明する。
図１は、本発明の実施形態における複写機１の概略構成を示す正面図である。
複写機１は、図１に示すように、原稿の画像を読み取る画像読取部２と、画像読取部２で読み取った画像データを基に印刷処理をする印刷部３と、印刷部３に印刷用紙（用紙）を搬送する用紙搬送装置１０と、複写機１の動作を統括的に制御する不図示の制御部とを有する構成となっている。
なお、本実施形態における複写機１は、装置本体１Ａの左側面を形成する垂直搬送カバー部（開閉部）１Ｂが、装置本体１Ａに対し開閉自在な構成となっている（図１（ａ）及び図１（ｂ）参照）。
【００１４】
制御部は、ＣＰＵ（Central Processing Unit）、ＲＯＭ（Read Only Memory）やＲＡＭ（Random Access Memory）等の内部メモリから成る電子部品及び電子回路等、並びに画像読取部２、印刷部３、用紙搬送装置１０とのデータ授受を行う各種入出力インターフェース回路等から構成されている。このような構成の制御部は、各構成機器を統括して制御する構成となっている。
【００１５】
画像読取部２は、例えば、ＡＤＦ（Auto Document Feeder）等の原稿自動送り装置と、原稿の画像を読み取るスキャナ等とを備える構成となっており、制御部から入力される制御指令に基づいて、原稿自動送り装置から供給された原稿の画像をスキャナで読み取り、原稿画像の形状や色彩等の画像データを出力する構成となっている。
【００１６】
印刷部３は、制御部から入力される制御指令に基づいて、搬送される印刷用紙にトナーを付着させることにより、入力された画像データに基づいて印刷用紙に画像を形成するものであり、例えば、感光ドラム５２、露光装置５３、帯電装置５４、現像装置５５、トナーコンテナ５６、定着装置５７等を備える構成となっている。
【００１７】
感光ドラム５２は、円柱に形状設定されると共に図１において紙面垂直方向に延在して配置されており、その周面に静電潜像及び当該静電潜像に基づくトナー像が形成されるものである。
帯電装置５４は、感光ドラム５２に対して対向配置されており、感光ドラム５２の周面を帯電状態とするものである。
露光装置５３は、感光ドラム５２の上方に配置されており、印刷形式の画像データに基づいて射出されるレーザ光を感光ドラム５２の周面において走査するものである。
そして、帯電装置５４によって感光ドラム５２の周面が帯電され、露光装置５３によって帯電された感光ドラム５２にレーザ光が走査されることで、感光ドラム５２の周面に印刷形式の画像データに基づく静電潜像が形成される。
【００１８】
現像装置５５は、感光ドラム５２の周面に対してトナーを供給することによって感光ドラム５２の周面上に静電潜像に基づく画像を現像するものであり、感光ドラム５２に対向配置される。また、現像装置５５は、トナーコンテナ５６と接続され、トナーコンテナ５６からトナーの供給を受ける構成となっている。
定着装置５７は、感光ドラム５２と転写ローラ２４とで形成されるローラ対の転写部２４ａの間を通過し静電潜像に基づく画像が転写された印刷用紙を、加圧・加熱することによりトナーを定着させるものであり、加熱ローラを備えるローラ対５７ａを有する構成となっている。
【００１９】
用紙搬送装置１０は、印刷用紙を収容すると共に、装置本体１Ａに対して引き出し自在な給紙カセット１１と、給紙カセット１１から印刷部３を経て排紙部１Ｃに至る略垂直な搬送経路を形成するローラ機構２０と、ジャム処理のための解除装置３０（後述）とを有する構成となっている。
ローラ機構２０は、搬送経路上流側（給紙カセット１１が設けられる側）から順にピックアップローラ２１、給紙ローラ対２２、レジストローラ対（ローラ対）２３、転写部２４ａ、ローラ対５７ａ、排紙ローラ対２５等が配設されて形成される。
【００２０】
ピックアップローラ２１は、給紙カセット１１に収容されている印刷用紙を一枚ずつ搬出するものであり、図１において給紙カセット１１の左端側上部であって装置本体１Ａに設けられる。
給紙ローラ対２２は、ピックアップローラ２１の下流に設けられ、ピックアップローラ２１により搬出された印刷用紙をレジストローラ対２３に搬送するものである。給紙ローラ対２２は、不図示の駆動機構と接続され印刷用紙がジャムを発生させた場合に、制御部から入力される制御指令に基づいて互いに離間する構成となっている。このような、給紙ローラ対２２は、装置本体１Ａに設けられる。
【００２１】
レジストローラ対２３は、給紙ローラ対２２の下流に設けられ、印刷用紙を位置決め及び紙伸ばしして転写部２４ａに搬送するものである。レジストローラ対２３は、レジストローラ対２３の一方のローラ２３Ａが装置本体１Ａに設けられ、他方のローラ２３Ｂが垂直搬送カバー部１Ｂに設けられる。ローラ２３Ｂには、ローラ２３Ａに向けて付勢する押圧バネ（付勢装置）４０がその長さ方向の両端に設けられている（図１において不図示、図３及び図４参照）。このような、レジストローラ対２３は、図１（ａ）に示す垂直搬送カバー部１Ｂが閉状態にあるときに、所望の圧力で印刷用紙を押圧して搬送可能な接触状態となる構成となっている。
【００２２】
転写部２４ａにおいては、転写ローラ２４が垂直搬送カバー部１Ｂに設けられ、感光ドラム５２が装置本体１Ａに設けられる。
排紙ローラ対２５は、転写部２４ａ及びローラ対５７ａを経て画像が定着した印刷用紙を排紙部１Ｃに排出するものであり、装置本体１Ａに設けられる。
【００２３】
上記構成の用紙搬送装置１０において印刷用紙がジャムを起こし、印刷用紙が上記搬送経路上であって、給紙カセット１１と垂直搬送カバー部１Ｂとに跨って残留する残留位置（本実施形態では、印刷用紙の一端が接触状態にあるレジストローラ対２３に押圧・挟持される位置にあり、印刷用紙の他端が給紙カセット１１内に位置する位置）にあるときは、通常では図１（ｂ）に示すように先ず垂直搬送カバー部１Ｂを開状態とさせることで、ローラ２３Ｂをローラ２３Ａに対して離間させて、レジストローラ対２３の接触状態を解除し、ジャム処理を施すこととなる。
しかし、ユーザーが、間違って垂直搬送カバー部１Ｂが閉状態にある場合に先に給紙カセット１１を引き出すと残留した用紙が破損する虞があるため、本実施形態では、以下に説明する解除装置３０を残留位置にあるレジストローラ対２３に設けている。
【００２４】
続いて、本実施形態における解除装置３０の構成について図２及び図３を参照して説明する。
図２は、本発明の実施形態における給紙カセット１１を示す平面図である。
図３は、本発明の実施形態における解除装置３０を示す要部拡大正面図である。
解除装置３０は、給紙カセット１１に設けられるガイド部３１と、レジストローラ対２３の接触状態を解除可能な解除レバー（梃子部材）３５とを有する。
【００２５】
ガイド部３１は、図２及び図３に示すように、給紙カセット１１の左側面から水平方向（押圧バネ４０の付勢方向と逆方向）に突出する平面視で略台形形状を有している。また、ガイド部３１は、引き出し方向（図２において紙面下方に向かう方向）の一端側３１ａが、引き出し方向と逆方向に向かうに従って給紙カセット１１から水平方向に突出する傾斜形状を有している。このようなガイド部３１は、給紙カセット１１の奥行き方向に亘って設けられている。
【００２６】
解除レバー３５は、図３に示すように、正面視で略レの字形状を有しており、一端部（一端側）３５ａがローラ２３Ｂの長さ方向の一端側２３Ｂ１に連結すると共に、他端部（他端側）３５ｂがガイド部３１に当接する構成となっている。一端部３５ａは、ローラ２３Ｂの回転軸と回転自在に遊嵌する軸受部３５ａ１が設けられ、他端部３５ｂはその先端部に、ガイド部３１との摺動を円滑にする球形状を有する。
また、解除レバー３５の屈曲位置には、図３において紙面垂直方向両側に突出する支点部３５ｃが設けられており、支点部３５ｃは回転自在に垂直搬送カバー部１Ｂに接続される（図１参照）。このことから、解除レバー３５は、図３に示す支点部３５ｃを通り紙面垂直方向に延びる軸線周りに回転自在な構成となる。
【００２７】
このような構成の解除装置３０は、レジストローラ対２３を、解除レバー３５の他端部３５ｂがガイド部３１の基端部にあるときに接触状態の接触位置（図３において実線で示す）とさせ、解除レバー３５の他端部３５ｂがガイド部３１の先端部にあるときに上記接触状態を解除させる解除位置（図３において２点鎖線で示す）とさせる構成となっている。
【００２８】
次に、図４を参照して解除装置３０の動作について説明する。
図４は、本発明の実施形態における解除装置３０の動作を説明する図である。
なお、図４は、複写機１の平面図であって、図４（ａ）は、給紙カセット１１が装置本体１Ａに収容される状態を、図４（ｂ）は、給紙カセット１１が装置本体１Ａから引き出される状態を示す。なお、このとき、垂直搬送カバー部１Ｂは閉状態にあり、ローラ２３Ｂはローラ２３Ａに向かって押圧バネ４０により付勢されている。
【００２９】
解除装置３０は、図４（ａ）の状態では、他端部３５ｂがガイド部３１の基端部に位置しており、レジストローラ対２３を接触位置に位置させる。
そして、図４（ｂ）に示すように、給紙カセット１１が装置本体１Ａに対して引き出されると、ガイド部３１の一端側３１ａに形成された傾斜形状が、給紙カセット１１の引き出し動作に連動して他端部３５ｂを付勢方向と逆方向に徐々に移動させ、ガイド部３１の先端部に位置させる。
【００３０】
他端部３５ｂがガイド部３１の作用により移動すると、解除レバー３５は、図３に示すように支点部３５ｃを中心に反時計周りに回転する。そして、当該回転に応じて一端部３５ａが、ローラ２３Ｂの一端側２３Ｂ１を、押圧バネ４０の付勢力に抗して付勢方向と逆方向に移動させる。このようにして、解除装置３０は、レジストローラ対２３を図４（ｂ）に示す解除位置に位置させることとなる。
そして、解除装置３０の作用により、ローラ２３Ｂの一端側２３Ｂ１がローラ２３Ａに対して離間することにより、レジストローラ対２３が印刷用紙を挟み込むことが不可となり、給紙カセット１１の引き出しにより残留した印刷用紙の破損が防止されることとなる。
【００３１】
したがって、上述の本実施形態によれば、印刷用紙を収容すると共に装置本体１Ａに対して引き出し自在な給紙カセット１１と、給紙カセット１１から搬出される印刷用紙を搬送すると共に、一方のローラ２３Ａが装置本体１Ａに設けられ、他方のローラ２３Ｂが装置本体１Ａに対して開閉自在な垂直搬送カバー部１Ｂに設けられるレジストローラ対２３とを備える用紙搬送装置１０であって、垂直搬送カバー部１Ｂが閉状態にあるときに給紙カセット１１の引き出しに連動して、レジストローラ対２３を、印刷用紙を搬送可能な接触状態の接触位置と、上記接触状態を解除させる解除位置との間を移動させる解除装置３０を有するという構成を採用することによって、給紙カセット１１の引き出し動作に連動して、垂直搬送カバー部１Ｂにおけるレジストローラ対２３の接触状態を解除することが可能となり、ユーザーが垂直搬送カバー部１Ｂを開放する前に給紙カセットを引き出した場合であっても、残留した印刷用紙の破損が防止される。
したがって、本実施形態では、ジャム処理に際し、残留した印刷用紙の破損をより確実に防止することが可能な用紙搬送装置１０を提供することができる効果がある。
【００３２】
また、本実施形態においては、ローラ対は、印刷用紙の搬送経路に沿って複数設けられ、解除装置３０は、上記搬送経路上であって、給紙カセット１１と垂直搬送カバー部１Ｂとに跨って印刷用紙が残留する残留位置にあるレジストローラ対２３に設けられているという構成を採用することによって、給紙カセットと垂直搬送カバー部１Ｂとに跨って残留した印刷用紙に対する給紙カセットの引き出しによる破損を防止することが可能となる。
【００３３】
また、本実施形態においては、解除装置３０は、レジストローラ対２３のうち一方のローラ２３Ｂを他方に対して長さ方向の一端側において離間させることで接触状態を解除させるという構成を採用することによって、レジストローラ対２３の一端側を離間させることで、レジストローラ対２３が印刷用紙を挟み込むことを不可とさせることができる。
【００３４】
また、本実施形態においては、レジストローラ対２３には、ローラ２３Ｂをローラ２３Ａに向けて付勢する押圧バネ４０が設けられており、解除装置３０は、一端部３５ａが、レジストローラ対２３のローラ２３Ｂの一端側２３Ｂ１に連結すると共に、他端部３５ｂが、給紙カセット１１に設けられて引き出し方向と逆方向に向かうに従って給紙カセット１１から上記付勢方向と逆方向に漸次突出する傾斜形状を有するガイド部３１に当接する解除レバー３５を有するという構成を採用することによって、給紙カセット１１の引き出しに連動して解除レバー３５の他端部３５ｂを付勢方向と逆方向に移動させ、その移動により解除レバー３５の一端部３５ａが連結したレジストローラ対２３のローラ２３Ｂを付勢力に抗して付勢方向と逆方向に移動させることが可能となる。
【００３５】
また、本実施形態においては、ジャム処理に際し、残留した印刷用紙の破損をより確実に防止することが可能な用紙搬送装置１０が設けられた複写機１が得られる。
【００３６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３７】
例えば、上記実施形態において、解除装置３０は、解除レバー３５とガイド部３１とを有すると説明したが、本発明は上記構成に限定されるものではない。
本発明は、例えば、レジストローラ対２３のローラ２３Ｂは、ソレノイド等の電気的な駆動装置を有して、給紙カセット１１の引き出しを検出する検出センサと、当該検出結果に基づいて駆動装置のソレノイド等を電気的に動作させる制御装置とを備え、レジストローラ対２３を接触位置と解除位置との間を移動させる構成であっても良い。
【図面の簡単な説明】
【００３８】
【図１】本発明の実施の形態における複写機の概略構成を示す正面図である。
【図２】本発明の実施の形態における給紙カセットを示す平面図である。
【図３】本発明の実施の形態における解除装置を示す要部拡大正面図である。
【図４】本発明の実施の形態における解除装置の動作を説明する図である。
【符号の説明】
【００３９】
１…複写機（画像形成装置）、１Ａ…装置本体、１Ｂ…垂直搬送カバー部（開閉部）、１０…用紙搬送装置、１１…給紙カセット、２３…レジストローラ対（ローラ対）、２３Ａ…ローラ、２３Ｂ…ローラ、２３Ｂ１…一端側、３０…解除装置、３１…ガイド部、３５…解除レバー（梃子部材）、４０…押圧バネ（付勢装置）
【図１】
2009298550.tif 000003
【図２】
2009298550.tif 000004
【図３】
2009298550.tif 000005
【図４】
2009298550.tif 000006